(57)【特許請求の範囲】
【請求項１】
それぞれ検出波長領域の異なる複数種類の受光素子を備え、室内機が設置されている室内に照射される光を受光して、受光した前記光の強度を検出する光強度検出手段と、
それぞれの前記受光素子によって検出された光の強度に基づいて、前記光の光源を判別する光源判別手段と、
前記光源判別手段によって判別された光源、及び、前記光強度検出手段によって検出された光強度に対応して運転制御を行う運転制御手段と、を備えること
を特徴とする空気調和機。
【請求項２】
前記光源判別手段は、前記複数種類の受光素子のうち、予め定められた特定種類の受光素子によって検出される光強度に対する、他の特定種類の受光素子によって検出される光強度の割合に基づいて、前記光の光源を判別すること
を特徴とする請求項１に記載の空気調和機。
【請求項３】
前記光強度検出手段は、前記光のうち可視光波長領域における光強度を検出する第１の受光素子と、前記光のうち赤外波長領域における光強度を検出する第２の受光素子と、を有すること
を特徴とする請求項１又は請求項２に記載の空気調和機。
【請求項４】
前記光源判別手段は、前記第１の受光素子によって検出される可視光波長領域の光強度に対する、前記第２の受光素子によって検出される赤外波長領域の光強度の割合が、予め設定された第１の値以上であり、かつ、予め設定された第２の値未満である場合に、前記光源は太陽光であると判別すること
を特徴とする請求項３に記載の空気調和機。
【請求項５】
前記光源判別手段は、前記第１の受光素子によって検出される可視光波長領域の光強度に対する、前記第２の受光素子によって検出される赤外波長領域の光強度の割合が、前記第１の値未満である場合に、前記光源は蛍光灯であると判別すること
を特徴とする請求項４に記載の空気調和機。
【請求項６】
前記光源判別手段は、前記第１の受光素子によって検出される可視光波長領域の光強度に対する、前記第２の受光素子によって検出される赤外波長領域の光強度の割合が、前記第２の値以上である場合に、前記光源は白熱灯であると判別すること
を特徴とする請求項４又は請求項５に記載の空気調和機。
【請求項７】
前記光源判別手段は、前記第１の受光素子によって検出される可視光波長領域の光強度が所定範囲内である場合に、前記第２の受光素子によって検出される赤外波長領域の光強度と、少なくとも一つの予め設定された閾値との大小関係に基づいて、前記光の光源を判別すること
を特徴とする請求項３に記載の空気調和機。
【請求項８】
前記光源判別手段は、前記第１の受光素子によって検出される可視光波長領域の光強度が所定範囲内である場合に、前記第２の受光素子によって検出される赤外波長領域の光強度が、予め設定された第１の値以上であり、かつ、予め設定された第２の値未満である場合に、前記光は太陽光であると判別すること
を特徴とする請求項７に記載の空気調和機。
【請求項９】
前記光源判別手段は、前記第１の受光素子によって検出される可視光波長領域の光強度が所定範囲内である場合に、前記第２の受光素子によって検出される赤外波長領域の光強度が、前記第１の値未満である場合に、前記光源は蛍光灯であると判別すること
を特徴とする請求項８に記載の空気調和機。
【請求項１０】
前記光源判別手段は、前記第１の受光素子によって検出される可視光波長領域の光強度が所定範囲内である場合に、前記第２の受光素子によって検出される赤外波長領域の光強度が、前記第２の値以上である場合に、前記光源は白熱灯であると判別すること
を特徴とする請求項８又は請求項９に記載の空気調和機。
【請求項１１】
前記室内機が設置されている室内の気温を検出するための室内気温検出手段と、
前記光源判別手段によって前記光の光源が太陽光であると判別された場合に、前記光強度検出手段によって検出された前記光の強度に基づいて前記室内における輻射熱量を推定する輻射熱量推定手段と、をさらに備え、
前記運転制御手段は、前記室内気温検出手段によって検出された前記室内の気温と、前記輻射熱量推定手段によって推定された輻射熱量に基づいて、空調温度を補正して運転制御を行うこと
を特徴とする請求項１から請求項１０のいずれか一項に記載の空気調和機。
【請求項１２】
前記室内での検出領域が略同一であり、それぞれ検出波長領域の異なる複数種類の前記受光素子を一組とした光強度検出手段を複数組備え、
各組の光強度検出手段は、前記室内においてそれぞれ異なる領域に照射される光の光強度を検出するように設置され、
前記光源判別手段は、各光強度検出手段による光強度の検出結果から、前記それぞれの領域に対して照射される光の光源を判別し、
前記輻射熱量推定手段は、それぞれの前記領域のうち、照射されている光の光源が太陽光であると前記光源判別手段によって判別された領域が存在する場合には、当該領域の輻射熱量を推定し、
前記運転制御手段は、それぞれの前記領域における熱輻射量の差に対応する体感温度の差がなくなるように運転制御を行うこと
を特徴とする請求項１１に記載の空気調和機。
【請求項１３】
前記運転制御手段は、前記空気調和機の設定温度と前記室内気温検出手段によって検出された室内気温との差が予め設定された所定範囲内であると判断した場合には、前記室内における熱輻射量の差に対応する体感温度の差がなくなるように、前記室内の空気を冷却又は加熱せずにそのまま送風すること
を特徴とする請求項１２に記載の空気調和機。
【請求項１４】
前記運転制御手段は、暖房運転を行っている場合に、相対的に輻射熱量が少ない領域に対して温風を送風するよう運転制御を行うことを特徴とする請求項１２に記載の空気調和機。
【請求項１５】
前記運転制御手段は、冷房運転を行っている場合に、相対的に輻射熱量が大きい領域に対して冷風を送風するよう運転制御を行うことを特徴とする請求項１２に記載の空気調和機。
【請求項１６】
前記空気調和機の室外機が設置されている室外の気温を検出する室外気温検出手段と、
前記各領域について、所定の周期ごとに、少なくとも前記光源判別手段による判別結果を含む情報を記憶する記憶手段と、
前記記憶手段から読み出した前記情報に基づき、前記各領域のうち他の領域よりも相対的に太陽光が検出される頻度が高い領域付近に窓が設置されていると判断する窓位置検出手段と、をさらに備え、
前記運転制御手段は、前記室内気温検出手段によって検出される室内気温と、前記室外気温検出手段によって検出される室外気温とに基づいて前記窓付近の温度を算出して、当該窓付近の領域とそれ以外の領域との温度差を小さくするように運転制御を行うこと
を特徴とする請求項１１から請求項１５のいずれか一項に記載の空気調和機。
【請求項１７】
前記室内機は空気吸い込み口に設置されたフィルタと、前記フィルタに付着した埃を取り払うためのフィルタ清掃機構と、をさらに備え、
前記運転制御手段は、前記第一の受光素子によって検出される可視光波長領域の光強度が、予め設定された所定値以下である場合、前記フィルタ清掃機構の運転を制限すること
を特徴とする請求項１から１６のいずれか一項に記載の空気調和機。
【請求項１８】
前記室内機は空気吸い込み口に設置されたフィルタと、前記フィルタに付着した埃を取り払うためのフィルタ清掃機構と、をさらに備え、
前記運転制御手段は、前記光源判別手段によって白熱灯が検出された場合、前記フィルタ清掃機構の運転を制限すること
を特徴とする請求項１から１７のいずれか一項に記載の空気調和機。
【請求項１９】
前記室内機は少なくとも１つの表示手段をさらに備え、
前記運転制御手段は、前記光強度検出手段によって検出される光強度、及び、前記光源判別手段による光源の判別結果に応じて、前記表示手段の発光強度を調整すること
を特徴とする請求項１から１８のいずれか一項に記載の空気調和機。
【請求項２０】
前記表示手段は発光ダイオードであり、
前記運転制御手段は、前記光強度検出手段によって検出される光強度、及び、前記光源判別手段による光源の判別結果に応じて、前記発光ダイオードの発光強度を調整すること
を特徴とする請求項１９に記載の空気調和機。
【請求項２１】
前記表示手段は液晶ディスプレイであり、
前記運転制御手段は、前記光強度検出手段によって検出される光強度、及び、前記光源判別手段による光源の判別結果に応じて、前記液晶ディスプレイのバックライトの発光強度及び／又は色調を調整すること
を特徴とする請求項１９に記載の空気調和機
【発明の詳細な説明】
【技術分野】
【０００１】
本発明は、光センサを用いた空気調和機に関する。
【背景技術】
【０００２】
一般に、室内機が設置される室内には窓が設けられており、当該窓を介して室内に太陽光が照射される。室内に太陽光が照射されると、その太陽光を受けて室内の床面や壁面が暖められる。そして、太陽光によって暖められた床面や壁面からの輻射熱による影響や、人体に直接照射される太陽光による影響で、在室者が感じる体感温度は室内温度（室内機の温度センサによって検知される温度）に比べて高くなる。
【０００３】
従来、室内に照射される太陽光の強度などを検出し、その検出結果に応じて運転制御を行う空気調和機などが開発された。
例えば、特許文献１には、暖房装置の上部に光学フィルタ及び紫外線フォトダイオードを設置し、太陽光のうち紫外波長領域の強度を検出して、当該強度の変化に基づいて朝と夜とを判別する技術について記載されている。また、特許文献１には、前記の判別結果に基づいて暖房装置の設定温度を補正する技術について記載されている。
また、特許文献２には、室内の熱画像を取り込むための焦電型の赤外線センサ装置や室内の光を検出するための光センサ装置を備えた空気調和機について記載されている。特許文献２に記載の技術によれば、一定時間間隔で室内における熱画像や点灯情報を取得し、これらを用いて在室者の人数、床面に対する位置、姿勢等の特徴抽出を行うことができる。また、特許文献２には、前記の特徴抽出結果に応じて室内の生活シーンを推定し、当該生活シーンに対応して運転制御を行うことが記載されている。
【先行技術文献】
【特許文献】
【０００４】
【特許文献１】特開平７−１４６００５号公報
【特許文献２】特開平５−１１８６１３号公報
【発明の概要】
【発明が解決しようとする課題】
【０００５】
しかしながら、特許文献１に記載の技術では、光学フィルタ及び紫外線フォトダイオードが暖房装置の上部に設置されているため、当該暖房装置が設置されている場所付近に照射される太陽光の紫外波長領域の強度を検出するにとどまる。つまり、特許文献１に記載の技術では、暖房装置が設置された部屋全体において、太陽光がどの程度照射されているのかを検出することができないという問題がある。
また、特許文献１に記載の技術では、太陽光のうち紫外波長領域の光強度のみを検出して太陽光を検出しているが、紫外線透過率は窓ガラスごとに異なるため、紫外線照射の有無を適切に判断することができない可能性が高いという問題がある。例えば、通常の窓ガラスを透過する紫外線がおよそ半分であるのに対し、紫外線カットガラスであればほとんど紫外線を透過しない。
また、特許文献２に記載の技術では、室内照明と太陽光の判別を行っていないため、光センサ装置によって太陽光の照射に伴う輻射熱の推定を行うことができないという問題がある。例えば、特許文献２に記載の技術では、室内照明(人工光)を点灯している状況と、太陽光が部屋に照射されている状況との判別ができない可能性がある。
【０００６】
そこで、本発明は、室内機が設置されている室内に照射される光の光源を判別し、その判別結果などに応じて運転制御を行う空気調和機を提供することを課題とする。
【課題を解決するための手段】
【０００７】
前記課題を解決するために、本発明は、それぞれ検出波長領域の異なる複数種類の受光素子を備え、室内機が設置されている室内に照射される光を受光して、受光した前記光の強度を検出する光強度検出手段と、それぞれの前記受光素子によって検出された光の強度に基づいて、前記光の光源を判別する光源判別手段と、前記光源判別手段によって判別された光源、及び、前記光強度検出手段によって検出された光強度に対応して運転制御を行う運転制御手段と、を備えることを特徴とする。
【発明の効果】
【０００８】
本発明により、室内機が設置されている室内に照射される光の光源を判別し、その判別結果などに応じて運転制御を行う空気調和機を提供することができる。
【図面の簡単な説明】
【０００９】
【図１】本発明の第１実施形態に係る空気調和機の室内機、室外機、及びリモコンの正面図である。
【図２】室内機の側断面図である。
【図３】空気調和機のシステム構成を示すブロック図である。
【図４】（ａ）は室内機のセンサカバーを外した状態の正面図であり、（ｂ）は可視光センサと赤外線センサとをそれぞれ別体のホルダに設置した場合の斜視図であり、（ｃ）は可視光センサと赤外線センサとを一つの基板に設置した場合の斜視図である。
【図５】室内機に設けられた光センサの設置角度を説明するための図である。
【図６】光センサと室内機マイコンとの関係を示す回路図である。
【図７】太陽光、蛍光灯、白熱灯のそれぞれについての、波長に対するスペクトル強度の分布を示す図である。
【図８】（ａ）は太陽光から光が照射された場合の光センサの出力を示す図であり、（ｂ）は白熱灯から光が照射された場合の光センサの出力を示す図であり、（ｃ）は蛍光灯が照射された場合の光センサの出力を示す図である。
【図９】蛍光灯、ＬＥＤ照明のそれぞれについて、波長に対するスペクトル強度の分布を示す図である。
【図１０】可視光波長領域の光強度が所定範囲内であり、光源が太陽光、白熱灯、又は蛍光灯である場合の赤外線センサの出力を示す図である。
【図１１】（ａ）は、光源が太陽光である場合の光強度に対する輻射熱量の変化を示す図であり、（ｂ）は、輻射熱量に対する体感温度の上昇量の変化を示す図である。
【図１２】本発明の第２実施形態に係る空気調和機の説明するための図であり、（ａ）は室内機に光センサを２つ設置し、センサカバーを外した場合の正面図であり、（ｂ）は部屋を真上から見た場合に、２つの光センサによって捉えられる床面の領域を示す図である。
【図１３】２つの光センサと室内機マイコンとの関係を示す回路図である。
【図１４】本発明の第３実施形態にかかる空気調和機を説明するための図であり、（ａ）は室内機に光センサを４つ設置し、センサカバーを外した場合の正面図であり、（ｂ）は部屋を真上から見た場合に、４つの光センサによって捉えられる床面の領域を示す図である。
【図１５】室内機に設けられた中央・遠エリア用光センサと中央・近エリア用光センサの設置角度を説明するための図である。
【図１６】４つの光センサと室内機マイコンとの関係を示す回路図である。
【図１７】４つの光センサと、アナログスイッチと、室内機マイコンとの関係を示す回路図である。
【図１８】本発明の第４実施形態にかかる空気調和機を説明するための図であり、（ａ）は室内機に光センサを４つ設置し、センサカバーを外した場合の拡大正面図であり、（ｂ）は部屋を真上から見た場合に、４つの光センサによって捉えられる床面の領域を示す図である。
【図１９】本発明の第５実施形態にかかる空気調和機を説明するための図であり、（ａ）は室内機の左右両端に光センサをそれぞれ設置し、各センサカバーを外した場合の正面図であり、（ｂ）は、室内機が左側に設置されている場合に右エリア検出用の光センサによって捉えられる床面の領域を示す図である。
【図２０】室内機に設けられたリモコン受信部と、その周辺の概略構成を示す一部透視斜視図である。
【図２１】室内機のフィルタ及びフィルタ清掃機構を示す外観斜視図である。
【発明を実施するための形態】
【００１０】
本発明の実施形態について、適宜図面を参照しながら詳細に説明する。なお、各図において、共通する部分には同一の符号を付し、重複した説明を省略する。
【００１１】
≪第１実施形態≫
＜空気調和機の構成＞
図１は、本発明の第１実施形態に係る空気調和機の室内機、室外機、及びリモコンの正面図である。図１に示すように、空気調和機Ａは室内機１００Ａと、室外機２００と、リモコンＲｅと、を備える。室内機１００Ａと室外機２００とは、冷媒配管(図示せず)及び、室外機２００用の電源ケーブル（図示せず）によって接続されている。また、室内機１００Ａと室外機２００とは、通信ケーブル（図示せず）を介して互いに情報を送受信することができる。
リモコンＲｅはユーザによって操作され、室内機１００Ａのリモコン受信部４２に対して赤外線信号を送信する。当該信号の内容は、運転要求、設定温度の変更、タイマ、運転モードの変更、停止要求等の指令である。空気調和機Ａは、これらの信号に基づいて、冷房、暖房、除湿などの空調運転を行う。
室内機１００Ａの前面パネル１０６の左右方向中央下部には、光センサ４６Ａ（図４（ａ）参照）が設置されており、図１に示すように、合成樹脂で作られたセンサカバー１が光センサ４６Ａを覆うように取り付けられている。ちなみに、センサカバー１は、少なくとも可視光領域及び赤外線領域の波長の光を透過可能な構成となっている。
なお、光センサ４６Ａの詳細については、後記する。
【００１２】
図２は、室内機の側断面図である。室内機１００Ａは、筐体ベース１０１、熱交換器１０２、送風ファン１０３、露受皿１０４、化粧枠１０５、前面パネル１０６、左右風向板１１０、上下風向板１１１、フィルタ１１２、人検知センサ１１３などを備える。
筐体ベース１０１には、熱交換器１０２、送風ファン１０３、露受皿１０４、フィルタ１１２などの基本的な内部構造体が取り付けられている。
熱交換器１０２は、送風ファン１０３により室内機１００Ａ内に取り込まれフィルタ１１２を通過した空気と熱交換し、当該空気を冷却又は加熱するように構成されている。熱交換器１０２の内部に貫通している複数本の伝熱管１０２ａは、前記で説明した冷媒配管（図示せず）に連通しており、周知の冷媒サイクル（図示せず）の一部を構成する。
【００１３】
送風ファン１０３は、側端部に取り付けられたファンモータ３５（図３参照）の回転に伴って中心軸周りに回転することにより、送風動作を行うように構成されている。
露受皿１０４は、熱交換器１０２の前後両側の下端部下方に配置され、冷房運転時や除湿運転時に熱交換器１０２において発生する凝縮水を受けるために設けられている。
化粧枠１０５は、筐体ベース１０１に配置された内部構造体（熱交換器１０２、送風ファン１０３、露受皿１０４、フィルタ１１２など）を覆うように配置され、室内機１００Ａの外観を整える。また、化粧枠１０５には、空気吸込み口１０７が上面に設けられており、当該空気吸込み口１０７を介して室内機１００Ａの内部に空気を取り込む。
【００１４】
前面パネル１０６は、室内機１００Ａの前面を覆うように設置されており、下端を軸として前面パネル用モータ５２（図３参照）により回動可能な構成となっている。また、前記したように、前面パネル１０６の左右方向中央の下部には、光センサ４６Ａ（図４（ａ）参照）が設置されており、少なくとも可視光領域及び赤外線領域の波長の光を透過可能な合成樹脂で作られたセンサカバー１（図１参照）で覆われている。ちなみに、前面パネル１０６を下端を軸として回動せず、固定されるものとして構成してもよい。
左右風向板１１０は、室内機マイコン３８(図３参照)からの指示に従い、下部に設けた回動軸（図示せず）を支点にして左右風向板用モータ(５１ａ，５１ｂ：図３参照)により回動される。
上下風向板１１１は、室内機マイコン３８(図３参照)からの指示に従い、両端部に設けた回動軸（図示せず）を支点にして上下風向板用モータ（５０ａ，５０ｂ，５０ｃ：図３参照）により回動される。
【００１５】
フィルタ１１２は、熱交換器１０２の吸込み側を覆うように配置されている。フィルタ１１２は、上面に設けられた空気吸込み口１０７から取り込まれた空気に含まれる塵埃を捕らえる。フィルタ１１２によって当該塵埃が取り除かれた空気は、熱交換器１０２に送り込まれる。
人検知センサ１１３は、例えば、検知エリア内の温度変化に反応して信号を出力する素子を内部に備え、これによって室内に人がいるか否かを検知することができる。
【００１６】
図２に示す送風ファン１０３が回転すると、室内空気が空気吸込口１０７から、熱交換器１０２、送風ファン１０３を通り、温湿度が調整された空気が吹出し風路１０９に導かれる。さらに、吹出し風路１０９に導かれた空気は、左右風向板１１０、上下風向板１１１によって風向きを調整され、空気吹出し口１０８から外部に送り出されて室内を空調する。
【００１７】
＜制御装置の構成＞
図３は、空気調和機のシステム構成を示すブロック図である。図１に示す室内機１００Ａは、内部に制御装置３００を備えている。図３に示すように、制御装置３００には、交流電源６０から室外機２００（図１参照）に突入電流が流れることを防止するための突入電流防止回路３１と、室外機２００への電源供給の開閉を行うためのパワーリレー３２と、制御電源回路３３と、で電源部を構成している。
また、制御電源回路３３には、ファンモータ駆動回路３４を介してファンモータ３５が接続され、二方弁駆動回路３６を介して冷媒経路を切り替えるための二方弁３７が接続されている。
【００１８】
また、制御装置３００は、室内機マイコン３８を備えている。室内機マイコン３８には、制御電源回路３３に接続されるリセット回路３９、ＥＥＰＲＯＭ（Electrically Erasable Programmable Read Only Memory）４０、クロック発振回路４１、が接続されている。
さらに、室内機マイコン３８には、リモコン受信部４２に設置された赤外線受光素子４２ａ、吸込み温度サーミスタ４３、熱交換器サーミスタ４４、湿度センサ４５、光センサ４６などの各種センサが接続されている。また、室内機マイコン３８は、空気調和機１００Ａの運転状態を使用者が視覚的に認識できるように、表示部４７の発光ダイオード（図示せず）の点灯を制御し、ブザー４８の吹鳴を制御する。
【００１９】
さらに、室内機マイコン３８は、ステッピングモータ駆動回路４９を介して接続される上下風向板用モータ５０ａ，５０ｂ，５０ｃと、左右風向板用モータ５１ａ，５１ｂと、前面パネル用モータ５２と、の回転を制御する。
そして、室内機マイコン３８は、室内外通信回路３０を介して室外機２００との通信を司るとともに、室内機１００Ａを統括して制御する。
なお、前記の制御装置３００の各構成の詳細については、その説明を省略する。
【００２０】
＜光センサの構成及び設置角度＞
次に、室内機１００Ａに設置される光センサについて詳細に説明する。図４（ａ）は、室内機のセンサカバーを外した状態の正面図である。図４に示すように、前後方向と、左右方向と、上下方向とを定義する。
室内機１００Ａの前面パネル１０６の左右方向中央の下部には、図４（ａ）に示すように凹部２が形成され、当該凹部２に光センサ４６Ａが設置されている。光センサ４６Ａは、左側に設置された可視光センサ３と、右側に設置された赤外線センサ４とを備える。
【００２１】
凹部２は、光センサ４６Ａが設置された状態で、当該光センサ４６Ａが左右方向において正面を向き、かつ、上下方向において水平面から所定角度だけ下を向くように形成されている（図５参照）。そして、凹部２を覆うようにしてセンサカバー１（図１参照）が、設置されている。
図４（ｂ）に示すように、可視光センサ３は、基板３ｃと当該基板３ｃ上に設置された可視光波長領域用の受光素子３ｂとが、ホルダ３ａに固定されるように構成されている。受光素子３ｂは、可視光波長領域での波長域（およそ３６０ｎｍ〜８３０ｎｍ）での光強度に応じて所定の電流を出力する。また、受光素子３ｂは、指向性を有し、所定の受光角で集光された光が受光素子３ｂに到達するようになっている。
【００２２】
また、赤外線センサ４は、基板４ｃと当該基板４ｃ上に設置された赤外波長領域用の受光素子４ｂとが、ホルダ４ａに固定されるように構成されている。受光素子４ｂは、赤外波長領域での波長域（およそ０．７μｍ〜１ｍｍ）での光強度に応じて所定の電流を出力する。また、受光素子４ｂは、指向性を有し、所定の受光角で集光された光が受光素子４ｂに到達するようになっている。
【００２３】
図４（ｃ）は、可視光センサと赤外線センサとを一つの基板に設置した場合の斜視図である。図４（ｃ）に示すように、可視光波長領域用の受光素子４６ｂ１と、赤外波長領域用の受光素子４６ｂ２と、を基板４６ｃの中央付近にそれぞれ設置し、ホルダ４６ａにて当該基板４６ｃを固定するように形成することとしてもよい。
このように、可視光波長領域用の受光素子と、赤外波長領域用の受光素子と、を図４（ｂ）に示すように別々の基板３ｃ，４ｃに設置する場合と、図４（ｃ）に示すように一つの基板４６ｃに設置する場合がある。
【００２４】
図５は、室内機に設けられた光センサの設置角度を説明するための図である。前記のように、凹部２は、光センサ４６Ａが左右方向において正面を向き、かつ、上下方向において水平面から所定角度だけ下を向くように形成されている。ちなみに、前面パネル１０６が下端を軸として回動する場合には、回動後の状態で光センサ４６Ａが上下方向において水平面から所定角度だけ下を向くように凹部２を形成することとしてもよい。これは、後記する他の実施形態についても同様である。
【００２５】
図５に示すように、凹部２は、光センサ４６Ａの受光方向が、水平面からθ２だけ下を向くように形成されている。なお、受光素子３ｂ、４ｂはθ１で示す指向角を有し、部屋の床面のうちほぼ全面（及び一部の壁面）の領域Ｐを捉えることができるよう、広指向性のものを使用している。
【００２６】
図６は、光センサと室内機マイコンとの関係を示す回路図である。図６に示すように、受光素子３ｂは、フォトトランジスタである。光が入射された場合、受光素子３ｂは、可視光波長領域の光に応じて、出力電流が増大する。この電流は抵抗Ｒ１，Ｒ２，Ｒ３，Ｒ４およびＣ１によって電圧変換、フィルタリングされ、電圧信号としてＡ／Ｄポート３８ａを介して室内機マイコン３８に出力される。
同様に、受光素子４ｂも、フォトトランジスタである。光が入射された場合、受光素子４ｂは、赤外波長領域の光に応じて、出力電流が増大する。この電流は抵抗Ｒ５，Ｒ６，Ｒ７，Ｒ８およびＣ２によって電圧変換、フィルタリングされ、電圧信号としてＡ／Ｄポート３８ｂを介して室内機マイコン３８に出力される。
光センサは図６に示されるとおり、汎用部品である受光素子３ｂ及び受光素子４ｂ、また抵抗Ｒ１，Ｒ２，Ｒ３，Ｒ４及びコンデンサＣ１によって構成されるため、安価に構成することができる。
【００２７】
＜室内機マイコンによる光源判別＞
（光源の判別方法：その１）
一般に、室内機１００Ａが設置されている室内の床面及び壁面には、太陽光の他に蛍光灯、白熱灯、ＬＥＤ照明などから発せられる光が照射される。図７は、太陽光、蛍光灯、白熱灯のそれぞれについての、波長に対するスペクトル強度の分布を示す図である。一般に、光には、紫外線波長領域４０１、可視光波長領域４０２、赤外線波長領域４０３の波長領域が存在する。図７に示すように、光源の種類によって、その光源から発せられる光は、異なるスペクトル強度の分布を示す。なお、図７は、横軸が波長であり、縦軸が強度である。
【００２８】
前記した通り、紫外線透過率は窓ガラスごとに異なるため、環境ごとのバラツキが大きい。したがって、以下では、窓ガラスを介する室内であっても安定して検出が可能な、図７に示す可視光波長領域４０２及び赤外波長領域４０３に着目して考えることとする。ちなみに、室内において安定して出力を得られる場合では、紫外線波長領域４０１に着目し、以下赤外線をこれに置き換えてもよい。
【００２９】
図７に示すように、太陽光は、可視光波長領域４０２から赤外波長領域４０３まで幅広い範囲のスペクトル強度分布を有している。また、白熱灯の光は、可視光波長領域４０２から赤外波長領域４０３までの範囲でスペクトル強度分布を有しているものの、可視光波長領域４０２のスペクトル強度に対して赤外波長領域４０３のスペクトル強度の方が相対的に高い値を示す分布となっている。また、蛍光灯の光は、主に可視光波長領域４０２の範囲で所定のスペクトル強度分布を有しているが、赤外波長領域４０３の波長成分はほとんど含んでいない。
【００３０】
図８（ａ）は太陽光から光が照射された場合の光センサの出力を示す図であり、（ｂ）は白熱灯から光が照射された場合の光センサの出力を示す図であり、（ｃ）は蛍光灯が照射された場合の光センサの出力を示す図である。
各波長領域の光を検出する受光素子３ｂ，４ｂ（図４（ｂ）参照）の出力はそれぞれ比例関係となる。したがって、光量を横軸とした場合の可視光線センサ３及び赤外線センサ４出力のグラフは、それぞれ図８（ａ）,（ｂ）,（ｃ）、に示す通りとなる。つまり、ある特定の光源から照射される光を各受光素子が受光した場合に、可視光センサ３の出力に対する赤外線センサ４の出力の割合はほぼ一定の値となる。
【００３１】
例えば、光源が太陽光である図８（ａ）に示すグラフでは、（赤外線センサ４の出力）／（可視光センサ３の出力）の値は、およそ０．７の値となる。また、例えば、光源が白熱灯である図８（ｂ）に示すグラフでは、（赤外線センサ４の出力）／（可視光センサ３の出力）の値はおよそ２．０の値となる。また、例えば、光源が蛍光灯である図８（ｃ）に示すグラフでは、（赤外線センサ４の出力）／（可視光センサ３の出力）の値は、ほぼゼロの値となる。
【００３２】
つまり、可視光センサ３の出力に対する赤外線センサ４の出力の割合によって、室内に照射されている光源の種類を判別することができる。したがって、予め所定の閾値を２つ設定しておき、（赤外線センサ４の出力）／（可視光センサ３の出力）の値をδとした場合に、δと前記各閾値とを比較することによって、室内に照射されている光源を判別することが可能となる。
なお、前記の記載において、「光源を判別」するという記載は、室内に照射されている光が全てその光源によるものである場合の他に、検出された光の強度について、特定の光源から照射される光の影響が最も大きいものである場合も含むものとし、以下の記載においても同様である。
【００３３】
例えば、前記閾値を０．３及び１．５に設定した場合、δの値が０以上０．３未満である場合には光源が蛍光灯であり、０．３以上１．５未満である場合には光源が太陽光であり、１．５以上である場合には光源が白熱灯であると判別することができる。
なお、後記で説明するように、図８（ａ）〜（ｃ）に示すグラフ（直線）の傾きや前記各閾値の値は一例であり、受光素子３ｂ，４ｂの素子特性や当該各素子に接続される回路構成、空気調和機Ａの仕様などによって、適宜設定を変更することができる。
【００３４】
そして、室内に照射される光の光源を適切に判別することができるように、受光素子３ｂ，４ｂの素子特性や当該各素子に接続される回路構成、及び、前記のδの値についての閾値を設定する。
なお、これらの設定は、事前の実験に基づいて、空気調和機Ａの設計段階で設定され、図３に示す制御装置３００のＥＥＰＲＯＭ４０に記憶される。また、前記で説明した光源判別は、図６に示すように、可視光センサ３及び赤外線センサ４から入力された信号に基づいて、室内機マイコン３８が行う。
【００３５】
また、一般に室内においては、複数種類の光源（例えば、太陽光と蛍光灯）からの光が照射されていると考えられる。前記複数種類の光源からの光が照射された場合、各光源の種類と、それぞれ光のスペクトル強度分布の和が、可視光センサ３及び赤外線センサ４の出力値に現れるため、前記で説明したδの値に反映されることとなる。
そのため、各光源からの影響の度合い、例えば同じ照度でも、蛍光灯の光より太陽光の影響の方が強い場合などにおいて、影響の度合いの大きい方の光源を判別できるよう、δの前記閾値に反映させる。
また別の方法としては、例えば光源の判定結果を「太陽光と蛍光灯」など、二の光源が同居していると判定するよう、前記で説明したδの閾値を更に細分化することもできる。
【００３６】
（蛍光灯とＬＥＤ照明との判別）
図９は、蛍光灯、ＬＥＤ照明のそれぞれについて、波長に対するスペクトル強度の分布を示す図である。このように蛍光灯とＬＥＤ照明にはスペクトルの相違点が存在するが、この点に感度を持つ受光素子、例えば５００ｎｍについて感度を持つ受光素子（図示せず）を光センサ４６に付加する。それぞれの受光素子の出力に基づいて光源が蛍光灯であるかＬＥＤ照明であるか（又は他の光源であるか）を判別することができる。
つまり、図９に示すように、蛍光灯からの光が光センサ４６Ａに照射された場合、可視光センサ３と５００ｎｍについて感度を持つ受光素子（図示せず）とは両者とも出力が得られる。これに対して、ＬＥＤ照明からの光が光センサ４６に照射された場合、可視光センサ３の出力に対し、５００ｎｍについて感度を持つ光センサの出力が小さくなることから、蛍光灯とＬＥＤ照明光の判別が可能となる。
蛍光灯とＬＥＤ照明を区別する必要が生じた場合には、前記の光センサ４６Ａに、所定の波長領域において大きな感度を持つ受光素子を備えた光センサ（図示せず）を付加する。なお、光源の判別方法については前記で説明したので、省略する。
【００３７】
（光源の判別方法：その２）
図１０は、可視光波長領域の光強度が所定範囲内であり、光源が太陽光、白熱灯、又は蛍光灯である場合の赤外線センサの出力を示す図である。図８（ａ）に示すように、光源が太陽光である場合には、可視光の強度がａ１〜ａ２における赤外線センサの出力範囲はα（ｂ１〜ｂ２）となっている。また、図８（ｂ）に示すように、光源が白熱灯である場合には、ａ１〜ａ２における赤外線センサの出力範囲はβ（ｂ３〜ｂ４）となっている。また、図８（ｃ）に示すように、光源が蛍光灯である場合には、ａ１〜ａ２における赤外線センサの出力範囲はγ（ｂ５〜ｂ６）となっている。
【００３８】
図１０に示すように、可視光の強度がａ１〜ａ２の範囲においては、出力範囲α，β，γは重複していない。したがって、例えば、図９に示す閾値ｄ，ｅを予め設定し、可視光強度範囲ａ１以上ａ２以下における赤外線センサ４の出力が０以上ｄ未満である場合には光源が蛍光灯であり、赤外線センサ４の出力がｄ以上ｅ未満である場合には光源が太陽光であり、赤外線センサ４の出力がｅ以上である場合には光源が白熱灯であると判別することができる。
このように、室内機マイコン３８（図３参照）は、まず、可視光の強度（可視光センサ３の出力）が、予め設定されたａ１以上ａ２以下の所定範囲に属するか否か判断し、前記所定範囲内に属する場合には、赤外線センサ４の出力と閾値ｄ，ｅとの大小関係に基づいて、光源を判別することができる。
【００３９】
ところで、太陽光が室内に照射されている場合であっても、太陽光による光の強度が小さい場合には、それに伴って室内の床又は壁からの輻射熱量も少なくなる。このように太陽光の影響が、温度補正を行う必要がないほど小さい場合、空気調和機Ａはそれまで行っていた運転制御をそのまま継続することが望まれる。したがって、それまで行っていた運転制御をそのまま継続するか否かの境界となる光強度として、図１０に示すａ１を設定すればよい。
また、一般的な室内においては、極端に可視光強度が高くなるとは考え難く、この上限値をａ２に設定すれば良い。
【００４０】
そして、受光素子３ｂ，４ｂの素子特性や当該各素子に接続される回路構成によって、可視光センサ３ｂや赤外線センサ４の出力（つまり感度）を、前記各要件を満たすように設定する。
なお、これら閾値の設定は、事前の実験に基づいて、空気調和機Ａの設計段階で設定され、図３に示す制御装置３００のＥＥＰＲＯＭ４０に記憶される。また、前記した光源の判別は、図６に示すように可視光センサ３及び赤外線センサ４から入力された信号に基づいて、室内機マイコン３８が行う。
【００４１】
＜光源判別結果に基づく運転制御＞
前記した通り、室内に太陽光が照射されると、当該太陽光によって室内の床面や壁面が暖められ、輻射熱が発生する。すなわち、図１１（ａ）に示すように、室内へ照射される太陽光の光強度が大きくなるのに従って、室内の床面や壁からの輻射熱が大きくなる。つまり、太陽光が検出された場合の可視光センサ出力または赤外線センサ出力が大きくなるのに従って、室内の床面や壁からの輻射熱量も大きくなっていることとなる。ちなみに、光源が太陽光であるか否かは前記の方法によって室内機マイコン３８（図３参照）により判断される。
また、図１１（ｂ）に示すように、室内の床面や壁からの輻射熱量が大きくなるにしたがって、在室者が感じる体感温度の上昇量も大きくなる。
なお、実際には体感温度の推定には気温、運動量、湿度等が関わるが、図１１（ｂ）では輻射熱量と体感温度の関係を示すため、これらの条件を一定として一例を示したが、実際には前記パラメータを考慮して体感温度を算出する必要がある。
【００４２】
また、室内に入射する太陽光の光強度と輻射熱量および、輻射熱量と体感温度には図１１のように比例の関係が成り立つ。よって、室内に入射する太陽光の光強度から室内の体感温度を求めることができる。これらパラメータは予め実験などにより取得され、ＥＥＰＲＯＭ４０（図３参照）に記憶されている。
マイコン３８（図３参照）は、まず、室内に照射されている光の光源を判別し、光源が太陽光であるか否か判断する。そして光源が太陽光であると判断した場合、マイコン３８はＥＥＰＲＯＭ４０に記憶されている情報を参照し、光センサによって検出された光強度から輻射熱量を推定し、その結果に基づいて運転制御を行う。なお、光源が太陽光でない場合には、空気調和機Ａはそれまで行っていた通常の運転を継続して行う。
ちなみに、図１１(ａ),(ｂ)に示す特性のパラメータは、空気調和機の仕様や使用環境などに依存するため、空気調和機ごとに任意に設定すればよい。
【００４３】
次に、室内機マイコン３８（図３参照）が推定した輻射熱量に基づいて、空気調和機１００Ａの運転制御を行う場合について、具体例を挙げて説明する。
例えば、室外気温１０℃のとき、空気調和機１００Ａが暖房運転を行っており、空調設定温度が２５℃である場合を考える。光センサ４６Ａが蛍光灯、白熱灯、又はＬＥＤ照明の光を検出した場合は、室内機マイコン３８は、空調温度（吸込み口１０７に設けた吸込み温度サーミスタ４３により検出される室内気温：図２、図３参照）が、２５℃となるよう運転制御を行う。
ここで、可視光センサ３と赤外線センサ４からの出力値に基づいて室内に照射された光の光源が太陽光であると判別した場合、室内機マイコン３８は、当該太陽光による輻射熱量を推定する。さらに室内機マイコン３８は、推定した輻射熱量から求めた体感温度の上昇量が例えば２℃であった場合に、室内機マイコン３８は、空調設定温度が２５℃であるのに対し空調温度（室内機１００Ａの吸気温度）が２３℃となるよう運転制御を行う。これによって太陽光による輻射熱の影響を空調制御により相殺し、室内における体感温度をより空調設定温度に近い値とする運転制御を行う。
【００４４】
＜効果１＞
本実施形態に係る空調和機Ａでは、可視光センサ３の出力に対する赤外線センサ４の出力の比によって室内に照射されている光の主な光源を判別することができる(前記の光源の判別方法：その１)。あるいは、可視光センサ３の所定の出力範囲内において、赤外線センサ４の出力値と所定の閾値ｄ,ｅとを比較することによって、光源を判別することができる(前記の光源の判別方法：その２)。
また、可視光センサ３の出力に対する赤外線センサ４の出力は、光源ごとに所定の比となる。したがって、前記した可視光センサ３の出力に対する赤外線センサ４の出力の比を用いて光源を判別する場合には、室内照度の大小に関わらず光源を判別することが可能である。
【００４５】
また、判別した光源が太陽光であった場合、室内機マイコン３８はその光強度に応じて輻射熱量を推定し、当該輻射熱量による体感温度の上昇量に応じ、室内機マイコン３８は室内の体感温度差を相殺して空調設定温度となるよう運転制御を行う。これにより、太陽光による輻射熱の影響の有無に関わらず、室内の快適性を一定に保つことで在室者にとってより快適な空調環境を提供することができる。
【００４６】
また、前記のように、紫外線波長領域の光は、窓ガラスによって減衰されて室内に入射されるが、本実施形態に係る空気調和機Ａは、窓ガラスを介しても安定して検出することが可能な可視光波長領域の光を検出する可視光センサ３、及び、赤外線波長領域の光を検出する赤外線センサ４を使用することで正確に光源を判別し、その結果に基づいて運転制御を行うことができる。
また、室内機１００Ａの前面パネル１０６に設置された光センサ４６Ａ（４６Ｂ）は、室内のほぼ全ての床面（及び壁の一部）からの光を採光することができる。したがって、室内機マイコン３８は、室内全体での太陽光による輻射熱量及び体感温度の上昇量を適切に推定し、その結果に基づいて運転制御を行うことができる。
【００４７】
≪第２実施形態≫
＜光センサの構成及び設置角度＞
図１２は、本発明の第２実施形態に係る空気調和機の説明するための図であり、（ａ）は室内機に光センサを２つ設置し、センサカバーを外した場合の正面図であり、（ｂ）は部屋を真上から見た場合に、２つの光センサによって捉えられる床面の領域を示す図である。
図１２（ａ）に示すように、室内機１００Ｂの左右方向中央の下部には、凹部２Ｌ，２Ｒが形成されている。また、凹部２Ｌには光センサ４６Ｌが設置され、凹部２Ｒには光センサ４６Ｒが設置されている。ここで、各光センサ４６Ｌ，４７Ｒのそれぞれに可視光波長領域用の受光素子４６ｂ１と、赤外波長領域用の受光素子４６ｂ２と（図４（ｃ）参照）が設置されている。
なお、以下の記載においては、１個の基板上に可視光波長領域用の受光素子と赤外波長領域用の受光素子とが設置されている場合について説明するが（図４（ｃ）参照）、可視光波長領域用の受光素子と赤外波長領域用の受光素子とが別々の基板上に設置されている場合でも同様である（図４（ｂ）参照）。
【００４８】
図５を用いて説明した場合と同様に、凹部２Ｌ，２Ｒは、各光センサ４６Ｌ，４６Ｒが設置された場合にその受光方向が水平面からθ２（図５参照）だけ下を向くように形成されている。また、図１２（ａ）に示すように、光センサ４６Ｌの受光方向が前面パネル１０６に対して垂直な平面からθ３だけ左方向に向くように凹部２Ｌが形成され、光センサ４６Ｒの受光方向が前面パネル１０６に対して垂直な平面からθ４だけ右方向に向くように凹部２Ｒが形成されている。
【００４９】
また、各光センサ４６Ｌ及び４６Ｒの受光角は、それぞれ、図１２（ｂ）に示すエリアＰ１，Ｐ２を捉えることができるように、比較的狭く（例えば、６０°）設定されている。このような構成によって室内機１００Ｂは、センサ４６Ｌによって図１２（ｂ）の左側エリアＰ１からの光をとらえ、センサ４６Ｒによって右側エリアＰ２からの光をとらえることができる構成になっている。
【００５０】
図１３は、２つの光センサと室内機マイコンとの関係を示す回路図である。前記の通り、左エリア検出用の光センサ４６Ｌは、可視光波長領域用の受光素子４６Ｌ１と赤外波長領域用の受光素子４６Ｌ２とを備えており、各センサからの出力がＡ／Ｄポート３８ａ,３８ｂを介して室内機マイコン３８に取り込まれる。同様に、右エリア検出用の光センサ４６Ｒは、可視光波長領域用の受光素子４６Ｒ１と赤外波長領域用の受光素子４６Ｒ２とを備えており、各センサからの出力信号がＡ／Ｄポート３８ｃ,３８ｄを介して室内機マイコン３８に取り込まれる。
なお、図１３に示す回路の詳細については、図６を用いた説明と重複するため、説明を省略する。
【００５１】
＜光源判別結果に基づく運転制御：その１＞
前記の通り、本実施形態では、左エリア検出用の光センサ４６Ｌ（図１２（ａ）参照）によって、室内の左エリアである領域Ｐ１（図１２（ｂ）参照）に照射される光の光源を判別することができる。同様に、右エリア検出用の光センサ４６Ｒ（図１２（ａ）参照）によって、室内の右エリアである領域Ｐ２（図１２（ｂ）参照）に照射される光の光源を判別することができる。
そして、室内機マイコン３８は、各領域Ｐ１，Ｐ２ごとの輻射熱量を推定し、当該輻射熱量に基づいて運転制御を行う。すなわち、室内機マイコン３８は、各領域Ｐ１，Ｐ２のうち、照射されている光の光源が太陽光であると判別された領域が存在する場合には、当該領域の輻射熱量を推定し、各領域Ｐ１，Ｐ２における熱輻射量の差に対応する体感温度の差がなくなるように運転制御を行う。
【００５２】
例えば、外気温が１０℃のとき、空気調和機Ｂの暖房運転で空調設定温度が２５℃である場合を考える。このとき室内の左エリアＰ１（図１２（ｂ）参照）から光を採光するよう設置された左エリア検出用の光センサ４６Ｌからの入力により、室内機マイコン３８が、光源は太陽光であると判別しており、その光強度から求めた輻射熱量による体感温度の上昇量が２℃であったとする。一方、室内の右エリアＰ２（図１２（ｂ）参照）から光を採光するよう設置された右エリア検出用の光センサ４６Ｒにより、室内機マイコン３８が、右エリアＰ２における光源は蛍光灯であり、太陽光による輻射熱が存在しないと判断したとする。
【００５３】
この場合、左エリアＰ１と右エリアＰ２とを比較すると、体感温度において左エリアの方が２℃高く、同一室内において２℃の温度差が生じていることとなるため、在室者にとって不快な状態となっている。
そこで、室内機マイコン３８は、左エリアＰ１と右エリアＰ２における体感温度が一定となるように、左右風向板１１０（図２参照）と上下風向板１１１（図２参照）による風向制御を行うとともに、ファンモータ３５（図３参照）の回転数を制御することによって気流制御を行うことにより、当該室内における体感温度の差を解消する。つまり、空気調和機Ｂは、左エリアＰ１と比較して体感温度が相対的に２℃低い右エリアを中心に送風する（暖房運転により温風を送風する）ことで、室内における体感温度を一定とすることができる。
ちなみに、上記では空気調和機Ｂが暖房運転を行っている場合について説明したが、冷房運転の場合には、体感温度が相対的に高いエリアに向けて送風する（冷房運転により冷風を送風する）ことで、室内における体感温度を一定とすることができる。
【００５４】
＜光源判別結果に基づく運転制御：その２＞
前記では、空気調和機Ｂが暖房運転又は冷房運転を行っている（つまり、温風又は冷風を送風している）場合における運転制御について説明したが、空調室内の温度が空調設定温度を中心として所定範囲内（例えば、±０．５℃以下）に収まっている場合もある。
また、室内の空気が設定温度に達している場合には、空気調和機Ｂの冷媒サイクルは停止状態となり、熱交換器１０２（図２参照）内の冷媒温度は除々に室温に近づいていく。また、一般に、室内の温度が空調設定温度に達している場合において、在室者に対し室内の空気をそのまま送風した場合、気流効果により在室者は涼しく感じる（つまり、体感温度が低くなる）。
【００５５】
したがって、空気調和機Ｂの設定温度と吸込み温度サーミスタ４３によって検出された室内気温との差が、予め設定された所定範囲内であると判断した場合、室内機マイコン３８は、室内における熱輻射量の差に対応する体感温度の差がなくなるように、室内の空気を冷却又は加熱せずにそのまま送風する。例えば、室内の空気が設定温度に達している場合、左エリアＰ１と右エリアＰ２において、太陽光が検出され体感温度の差が生じていると検出される場合には、室内マイコン３８は、体感温度が高くなっているエリアに向けて、空調室内の空気をそのまま送風する制御を行う。
この場合には、室内マイコン３８は冷媒サイクルを稼動させずに、単に送風ファン１０３（図２参照）を回転させて、室内の空気を循環させるよう制御を行う。
【００５６】
＜効果２＞
本実施形態に係る空調和機Ｂによれば、室内のうち局所的に太陽光が照射され、その影響によって局所的に温度差が生じている場合にも、温風、冷風の気流制御を行うことにより室内における温度差をなくして室内全体の体感温度を均一化し、室内の快適性を保つことができる。
また、本実施形態に係る空気調和機Ｂでは、室内機１００Ｂにより検出された室内温度が空調設定温度に達している場合であっても、相対的に体感温度が高い領域に向けて室内の空気をそのまま送風する制御を行う。このように送風の気流を利用することで、室内全体の温度を空調設定温度に保ちつつ、室内における温度差をなくして室内全体の体感温度を均一化することができる。
【００５７】
≪第３実施形態≫
＜光センサの構成及び設置角度＞
図１４（ａ）は本発明の第３実施形態にかかる空気調和機を説明するための図であり、室内機に光センサを４つ設置し、センサカバーを外した場合の正面図であり、（ｂ）は部屋を真上から見た場合に、４つの光センサによって捉えられる床面の領域を示す図である。
図１４（ａ）に示すように、室内機１００Ｃの左右方向中央の下部には、４つの凹部２Ｌ,２Ｆ,２Ｎ,２Ｒが形成されている。また、凹部２Ｌには光センサ４６Ｌが設置され、凹部２Ｆには光センサ４６Ｆが設置され、凹部４６Ｎには光センサ４６Ｎが設置され、凹部２Ｒには光センサ４６Ｒが設置されている。ここで、各光センサ４６Ｌ，４６Ｆ，４６Ｎ，４６Ｒのそれぞれに、可視光波長領域用の受光素子４６ｂ１と、赤外波長領域用の受光素子４６ｂ２と（図４（ｃ）参照）を備えている。
【００５８】
本実施形態において、凹部２Ｌのうち光センサ４６Ｌが設置される平面、及び、凹部２Ｒのうち光センサ４６Ｒが設置される平面の角度（前面パネル１０６に対する傾斜角度）は、第２実施形態において説明した場合と同様である（図５、図１２参照）。
すなわち、図１４（ａ）に示す凹部２Ｌは、図１４（ｂ）に示す領域Ｐ３からの光を左エリア検出用の光センサ４６Ｌが採光するように形成されている。また、図１４（ａ）に示す凹部２Ｒは、図１４（ｂ）に示す領域Ｐ４からの光を右エリア検出用の光センサ４６Ｒが採光するように形成されている。なお、センサ４６Ｌ及びセンサ４６Ｒの受光角は、各センサがそれぞれ、図１４（ｂ）に示す領域Ｐ３，Ｐ４をとらえることができるように適宜設定されている。
【００５９】
また、図１４（ａ）に示す凹部２Ｆのうち中央・遠エリア検出用の光センサ４６Ｆが設置される平面は、光センサ４６Ｆが左右方向において正面を向き、かつ、上下方向において水平面から所定角度θ７（図１５参照）だけ下を向くように形成されている。また、光センサ４６Ｆの受光角θ５（図１５参照）は、図１４（ｂ）に示す領域Ｐ５からの光を採光できるように設定されている。これによって、光センサ４６Ｆは、中央・遠エリアである領域Ｐ５からの光を採光することができるようになっている。
同様に、図１４（ａ）に示す凹部２Ｎのうち中央・近エリア検出用の光センサ４６Ｎが設置される平面は、光センサ４６Ｎが左右方向において正面を向き、かつ、上下方向において水平面から所定角度θ８（図１５参照）だけ下を向くように形成されている。また、光センサ４６Ｎの受光角θ６（図１５参照）は、図１４（ｂ）に示す領域Ｐ６から光を採光できるように設定されている。これによって、光センサ４６Ｎは、中央・近エリアである領域Ｐ６からの光を採光することができるようになっている。
【００６０】
図１５は、室内機に設けられた中央・遠エリア用光センサと中央・近エリア用光センサの設置角度を説明するための図である。
図１５に示すように、中央・遠エリア用光センサ４６Ｆが水平面から下向きに傾斜する角度θ７は、中央・近エリア用光センサ４６Ｎが水平面から下向きに傾斜する角度θ８よりも小さくなるように（θ７＜θ８）、凹部２Ｆ，２Ｎ（図１４（ａ）参照）がそれぞれ形成されている。
このようにして、室内機１００Ｃに設置された４つの光センサ４６Ｌ，４６Ｆ，４６Ｎ，４６Ｒは、それぞれ、図１４（ｂ）に示す室内の４つの領域Ｐ１，Ｐ２，Ｐ３，Ｐ４からの光を採光することができるようになっている。
【００６１】
図１６は、４つの光センサと室内機マイコン３８との関係を示す回路図である。図１６に示すように、４つの光センサがそれぞれ備える２種類の受光素子からの出力電流をそれぞれ抵抗により電圧変換し、Ａ／Ｄポート３８ａ〜３８ｈを介して室内機マイコン３８に出力する構成となっている。
すなわち、左エリア検出用の光センサ４６Ｌが備える可視光波長領域用の受光素子４６Ｌ１からの電気信号と、赤外波長領域用の受光素子４６Ｌ２からの電気信号とが、それぞれＡ／Ｄポート３８ａ，３８ｂを介して室内機マイコン３８に入力する。
他の受光素子４６Ｒ１,４６Ｆ１,４６Ｎ１からの電気信号についても同様であるため、説明を省略する。また回路の詳細については、図６を用いた説明と同様である。
【００６２】
図１７は、４つの光センサと、アナログスイッチと、室内機マイコンとの関係を示す回路図である。図１６を用いて説明したように、例えば、２種類（可視光波長領域用と赤外波長領域用）の受光素子を４組用いた空気調和機１００Ｃでは、計８個のＡ／Ｄポートが必要となる。このように、図１６に示す回路構成の場合、光センサの数を多くしていくほど、対応する受光素子からの入力を受けるＡ／Ｄポートの数が増えていく。
しかし、図１７に示すように、各受光素子からの入力を受ける各端子を設けたアナログスイッチ５３を設け、室内機マイコン３８が当該アナログスイッチ５３からの入力を受ける構成とすれば、室内機マイコン３８に設けるＡ／Ｄポートは１つで足りる。ちなみに、室内機マイコン３８からアナログスイッチ５３に対しては、図１７に示す８つの受光素子のうち、信号を受ける受光素子を特定する選択制御信号が出力される。アナログスイッチ５３は、室内機マイコン３８から入力される選択制御信号に従って、予め設定された順序で各受光素子からの信号を、室内機マイコン３８に対して逐次出力する。
なお、前記では、アナログスイッチ５３を各受光素子と室内機マイコン３８との間に介在させることとしたが、アナログスイッチ５３の代わりにマルチプレクサを使用してもよい。
【００６３】
＜窓の位置に応じた運転制御＞
前記で説明したように、室内機１００Ｃには、異なるエリアＰ１〜Ｐ４（図１４（ｂ）参照）からの光を採光するように、複数の光センサ４６Ｌ，４６Ｆ，４６Ｎ，４６Ｒが配置されている。
また、室内機マイコン３８（図３参照）は、所定のサンプリング周期ごとに、各エリアＰ１〜Ｐ４に関して、光源判別の結果を少なくとも含む情報をＥＥＰＲＯＭ４０（図３参照）に記憶させている。そして、室内機マイコン３８は、ＥＥＰＲＯＭ４０から読み出した前記情報に基づいて、各エリアＰ１〜Ｐ４のうち、他の領域よりも相対的に長時間、太陽光が照射されている領域(例えばエリアＰ４)付近に窓７０(図１４参照)が設置されていると判断する。なお、前記所定のサンプリング周期は、予め設定された値である。
室内機マイコン３８は、ＥＥＰＲＯＭ４０から読み出した前記情報に基づき、各エリアＰ１〜Ｐ４のうち他の領域よりも相対的に太陽光が検出される頻度が高い領域付近に窓が設置されていると判断する。そして、室内機マイコン３８は、温度サーミスタ４３によって検出される室内気温と、室外機２００（図１参照）に設置された温度センサ（室外気温検出手段：図示せず）によって検出される室外気温と、に基づいて窓付近の温度を算出し、当該窓付近の領域とそれ以外の領域との温度差を小さくするように運転制御を行う。
【００６４】
例えば、冬など外気温が低く、空気調和機１００Ｃが室内で暖房運転を行っている場合には、室外気温に対して室内温度が高くなる。そうすると、室外と室内との温度差によって室内側の窓ガラス付近の空気が冷やされ、窓付近の温度が低くなる傾向があるため、室内に温度差が生じている状態となり、在室者にとって不快である。
ここで、室内機１００Ｃの室内機マイコン３８（図３参照）は、前記の方法で窓が設置されているエリアを推定し、運転制御の補正を行う。
【００６５】
すなわち、室内機マイコン３８は、室外機２００（図１参照）に設置された温度センサ（図示せず）によって検出される室外気温情報と、室内機２に備えられた吸い込み温度サーミスタ４３によって検出される室内気温情報とから、付近に窓が存在すると判断したエリアにおける気温の低下を推定することができる。
窓付近の温度低下ΔＺ[℃]は、室内気温をＸ[℃]、室外気温をＹ[℃]とし、比例定数をξとすると、例えば、以下の式（１）により算出することができる。
ΔＺ＝ξ（Ｙ−Ｘ）・・・式（１）
なお、前記の比例定数ξは、予め事前の実験などにより取得し、制御装置３００のＥＥＰＲＯＭ４０に記憶させておく。
【００６６】
そして、室内機マイコン３８は、推測した温度低下に応じて左右風向板１１０（図２参照）、上下風向板１１１（図２参照）による風向制御と、ファンモータ３５（図３参照）の回転数を制御することにより、窓付近の気温の低下を防ぎ、室内の温度を均一にする。なお、マイコン３８は付近に窓が設置されていると推定した前記エリアを、ＥＥＰＲＯＭ４０（図３参照）に記憶させることによって、夜間でも前記のように運転制御を行うこととしてもよい。
【００６７】
例えば、図１４（ａ）に示す、右エリア検出用の光センサ４６Ｒによって太陽光が検出される頻度が最も高い場合、または太陽光が検出されている時間が最も長かった場合、室内機マイコン３８は図１４（ｂ）に示すように、右エリアＰ４付近に窓７０があると判断することができる。
さらに、前記の状況で、室外気温が１℃、空調設定温度が１８℃、吸い込み温度サーミスタ４３によって検出される室内気温が１８℃であるとする。この場合に室内機マイコン３８によって推定される窓７０付近の温度低下が、例えば、−３℃である場合、窓７０付近の気温は１５℃程度であるということがわかる。
このとき、室内において３℃の温度差が生じていることとなり、室内の在室者にとって不快である。したがって、室内機マイコン３８は、左右風向板１１０、上下風向板１１１によって風向制御を行い、室内ファンモータ３５の回転数制御を行うことで、室内全体の気温を一定に保つように運転制御を行う。
なお、運転制御の詳細については第２実施形態で説明した場合と同様であるから、説明を省略する。
【００６８】
ちなみに、特に昼間の時間帯では、日射の輻射による体感温度の上昇と、窓からの冷気による気温の低下の両方が存在するエリアも存在し得る。この場合、室内機マイコン３８は、各光センサによって検出された太陽光の光強度から輻射熱量を求め、当該輻射熱量に基づいて体感温度の上昇量(例えば、３℃の上昇)を求める。また、室内機マイコン３８は、前記の通り、室外気温と室内温度の比較によって得られる窓付近のエリアの温度低下を算出（例えば、１℃の低下）する。さらに、室内機マイコン３８は、太陽光による体感温度の上昇量と、窓付近のエリアの温度低下量(｜ΔＺ｜)との差分を求め（３℃−１℃＝２℃の上昇）、当該結果に応じて室内全体の体感温度が一定となるように運転制御を行う。
【００６９】
＜効果３＞
本実施形態に係る空気調和機Ｃによれば、４つの領域Ｐ１〜Ｐ４における光強度の検出、光源判別、及び、その結果に基づいて輻射熱量の検出を行うので、室内における局所的な体感温度の差をより的確に把握し、それに基づいてよりきめ細やかな運転制御を行うことができる。また、一般的に空気調和機は部屋の四方を囲む壁の一つに、平行に取り付けられるため、各光センサの検出範囲を左エリア、右エリア、中央・遠エリア、中央・近エリアに設定したことにより、各壁それぞれの窓の有無を検出することが可能となり、より細やかな制御が可能となる。
【００７０】
また、空気調和機Ｃによれば、各領域において太陽光が照射される時間に基づいて窓が設置されている領域を特定することができる。したがって、特に、室外気温に比べて空調された室内温度が相対的に高くなる冬の季節においては、窓付近の温度低下による室内の局所的な温度差をなくすように空調運転を行うことによって、室内全体の温度を均一化して室内の快適性を保つことができる。
【００７１】
≪第４実施形態≫
図１８は、本発明の第４実施形態にかかる空気調和機を説明するための図であり、（ａ）は室内機に光センサを４つ設置し、センサカバーを外した場合の拡大正面図であり、（ｂ）は部屋を真上から見た場合に、４つの光センサによって捉えられる床面の領域を示す図である。
本実施形態に係る空気調和機Ｄは、図１８（ａ）に示すように、左エリア検出用の光センサ４６Ｌ１が右側の凹部２Ｌ１に設置され、右エリア検出用の光センサ４６Ｒ１が左側の凹部２Ｒ１に設置され、中央・遠エリア検出用の光センサ４６Ｆ１が上側の凹部２Ｆ１に設置され、中央・近エリア検出用の光センサ４６Ｎ１が下側の凹部４６Ｎ１に設置されている。ちなみに、各光センサ４６Ｌ１，４６Ｆ１，４６Ｎ１，４６Ｒ１は、第３実施形態の場合と同様に、前面パネル１０６の左右方向中央の下部に設置されている。
【００７２】
なお、前面パネル１０６に対する前記各光センサ４６Ｌ１，４６Ｒ１，４６Ｆ１，４６Ｎ１の傾斜角度や受光角などについては、第３実施形態で説明した場合と同様であるから説明を省略する。
そして、図１８(ｂ)に示すように、各光センサ４６Ｌ１,４６Ｒ１,４６Ｆ１, ４６Ｎ１によって、それぞれエリアＰ３,Ｐ４,Ｐ５,Ｐ６からの光が採光される。
【００７３】
＜効果４＞
本実施形態に係る空気調和機Ｄによれば、４つの光センサ４６Ｌ,４６Ｆ,４６Ｎ,４６Ｒを一箇所に集めることができる。したがって、例えば、これに伴ってセンサカバー１（図１参照）を小さくすることができ、コストを抑えることが可能となる。また、センサカバー１を小さく設計できることで、意匠性をより高めることもできる。
【００７４】
≪第５実施形態≫
図１９は、本発明の第５実施形態にかかる空気調和機を説明するための図であり、（ａ）は室内機の左右両端に光センサをそれぞれ設置し、各センサカバーを外した場合の正面図であり、（ｂ）は、室内機が左側に設置されている場合に右エリア検出用の光センサによって捉えられる床面の領域を示す図である。
本実施形態では、左エリア検出用の光センサ４６Ｌ´を室内機１００Ｅの前面パネル１０６の左下に設置し、右エリア検出用の光センサ４６Ｒ´を室内機１００Ｅの前面パネル１０６の右下に設置する構成となっている。
また、凹部２Ｌ´，２Ｒ´は、図５を用いて説明した場合と同様に、各光センサ４６Ｌ´，４６Ｒ´の受光方向が、水平面からθ２（図５参照）だけ下を向くように形成されている。さらに、凹部２Ｌ´は光センサ４６Ｌ´の受光方向が前面パネル１０６に対して垂直な面からθ９だけ左方向に向くように設置され、凹部２Ｒ´は光センサ４６Ｒ´の受光方向が前面パネル１０６に対して垂直な面からθ１０だけ右方向に向くように設置されている。
【００７５】
前記のような構成によって、室内機１００Ｅの各センサ４６Ｌ´,４６Ｒ´は、それぞれ室内の左エリア、右エリアからの光を採光することができる。
なお、一般に空気調和機の室内機は、室内の中央に設置される場合よりも室内の右側又は左側の隅に設置される場合が多い。このような場合を想定して、一方のセンサのみで室内の広範囲からの光を受光できるよう、光センサ４６Ｌ´及び４６Ｒ´の受光角（例えば、１２０°）を設定しておく。
【００７６】
そして、例えば、室内機１００Ｅが設置された際に、ユーザ又は作業員がリモコンＲｅ（図１参照）を介して室内機１００Ｅの設置位置（室内の左側か右側か中央か）を選択して室内機１００Ｅに送信する。そして、室内機マイコン３８（図３参照）は、リモコン受信部４２（図１参照）を介して受信した前記情報に基づいて、光センサ４６Ｌ´と光センサ４６Ｒ´のいずれか一方のみ、又は、両方から入力される電気信号を受け付けるようにする。なお、室内機１００Ｅの設置位置（室内の左側か右側か中央か）は室内機１００Ｅが自動で検出する構成としてもよい。
例えば、図１９（ｂ）に示すように、室内機１００Ｅが室内の左側に設置された場合、当該情報をリモコンＲｅから受信した室内機マイコン３８は、右エリア検出用の光センサ４６Ｒ´から入力される信号のみを受け付けるようにする。前記のように、受光角が広めに設定されているので、右エリア検出用の光センサ４６Ｒ´のみで室内のほぼ全域からの光を採光することができる。
【００７７】
＜効果５＞
本実施形態に係る空気調和機Ｅによれば、室内機１００Ｅが壁の左右中央に設置された場合の他、左側又は右側に設置された場合でも、それに対応して室内機マイコン３８が右エリア検出用の光センサ４６Ｒ´からの電気信号のみ、又は、左エリア検出用の光センサ４６Ｌ´からの電気信号のみを受け付ける。あるいは、リモコンＲｅを介して受信した室内機１００Ｅの設置位置の情報に基づいて、室内機マイコン３８が光センサ４６Ｌ´,４６Ｒ´の受光方向を変える。これにより、光センサの壁からの光による影響を抑えることができ、より正確に室内の光源を捉えることが可能である。
したがって、室内機１００Ｅの設置位置に関わらず、適切に光源判別を行い、その結果に基づく運転制御を行うことができる。
【００７８】
≪第６実施形態≫
本実施形態では、室内に照射される光の光源に応じて表示部４７の調光を行うことを特徴とする。
図２０は、室内機に設けられたリモコン受信部と、その周辺の概略構成を示す一部透視斜視図である。室内機１００Ｆの前面パネル１０６（図１参照）の下部の左右一方の側には、リモコンＲｅ（図１参照）からの赤外線等の操作信号を受ける赤外線受光素子４２ａと、空気調和機Ａの運転状況などを表示する表示部４７（４７ａ，４７ｂ，４７ｃ，４７ｄ，４７ｅ，４７ｆ）と、室内機マイコン３８からの所定の信号を送信する赤外線信号送信部５５ａ，５５ｂ，５５ｃと、が設けられている。また、赤外線受光素子４２ａと、赤外線信号送信部５５ａ，５５ｂ，５５ｃとは、合成樹脂製のカバー５４によって覆われている。なお、前記の赤外線受光素子４２ａと、赤外線信号送信部５５ａ，５５ｂ，５５ｃについては、詳細な説明を省略する。
【００７９】
表示部４７は、例えば、空気調和機Ａの運転状態を表示する運転ランプ、タイマ予約時に点灯するタイマランプ、イオンミスト運転を行っている場合に点灯するイオンミストランプ、節電モードで運転を行っている場合に点灯するエコランプなどである。前記各表示部４７は、室内機マイコン３８からの指令に従って発光ダイオード（図示せず）を発光させることで、在室者に空気調和機Ａの運転状態などを知らせる。
【００８０】
光センサによって検出された室内の光強度に応じて、表示部４７の内部にそれぞれ設置された発光ダイオード（図示せず）の発光強度を調整する制御を行う。これにより、太陽光の入射される明るい室内においても表示部４７の視認が可能で、かつ光強度が弱くなった場合であっても室内の光強度に応じて表示部４７の発光強度を適正に保つことができるため、在室者が表示部４７の表示を視認しやすくすることができる。
例えば、室内の光強度が微弱で所定の値以下となっている場合、又は、光源が白熱灯でその発光強度が所定の値以下である場合、室内機マイコン３８は、在室者が就寝していると判断する。そして、室内機マイコン３８は、表示部４７の発光ダイオードの発光強度を弱める制御を行うことで、視認性を向上させるだけでなく、表示部が明るすぎるなどといった使用者へのストレスを軽減することができる。
【００８１】
また、表示部として液晶ディスプレイ（図示せず）を使用した場合などでも、上記と同様に、光センサによって検出された室内の光強度に応じて室内マイコン３８が表示部の発光強度を調整する制御を行う。これにより、太陽光の入射される明るい室内においても表示部４７の視認が可能で、かつ、光強度が弱くなった場合であっても室内の光強度に応じて表示部４７の発光強度を適正に保つことができるため、在室者が表示部４７の表示を視認しやすくすることができる。
また、例えば、室内の光強度が微弱で所定の値以下となっている場合、又は、光源が白熱灯でその発光強度が所定の値以下である場合、室内機マイコン３８は、在室者が就寝していると判断する。この場合、室内機マイコン３８は、表示部４７の液晶ディスプレイの発光強度（つまり、図示しないバックライトの発光強度）を弱める制御を行う。これによって空気調和機Ｆは、視認性を向上させるだけでなく、表示部が明るすぎるなどといった使用者へのストレスを軽減することができる。また、表示部が液晶ディスプレイで構成されている場合、室内に照射されている光の光源に合わせて液晶ディスプレイの色調の補正を行うこととしてもよい。また、前記で説明したバックライト(図示せず)の発光強度の補正と、液晶ディスプレイの色調の補正とを併せて行うこととしてもよい。
なお、光源判別方法などの詳細については前記の内容と同様であるから、説明を省略する。
【００８２】
＜効果６＞
本実施形態に係る空気調和機Ｆによれば、室内に照射されている光の光源を判別し、当該光源から照射される光の光強度に基づいて表示部の発光強度を調整することができる。つまり、空気調和機Ｆは、昼間などの室内が明るい際の表示部発光強度に対し、室内が暗い場合には表示部の発光強度を弱める制御を行う。これにより、表示部発光強度を室内の環境ごとに適正に設定できるため、就寝時などでも表示部の光によって快適性を損なうことはない。
また、表示部が液晶ディスプレイで構成されている場合には、バックライトの光度だけでなく、室内に照射されている光の光源に合わせて色調の補正を行うことで、表示部を使用者にとって見やすいものとすることができる。
【００８３】
≪第７実施形態≫
本実施形態では、室内に照射される光の光源に応じてフィルタ清掃機構の運転制御を行うことを特徴とする。
室内機１００Ｇには、上面に設けられた空気吸込み口１０７（図２参照）から取り込む空気に含まれる塵埃を捕らえるフィルタ１１２（図２参照）が設置されている。また、室内機１００Ｇには、フィルタ１１２に溜まった塵埃を清掃するためのフィルタ清掃機構５６が設置されている。
前記第６実施形態において説明した場合と同様に、例えば室内の光強度が微弱で所定の値以下となっている場合、または光源が白熱灯でその発光強度が所定の値以下である場合などは、室内機マイコン３８がフィルタ清掃機構５６に対し、フィルタ１１２の清掃運転を行わないように制御するか、又は、フィルタ自動清掃機構５６の運転音を発生する機能の動作を制限するよう制御する。すなわち、室内機マイコン３８は、可視光波長領域の光強度が予め設定された所定値以下である場合、又は、光源として白熱灯を検出した場合には、フィルタ清掃機構５６の運転を制限する。
なお、光源判別方法などの詳細については前記した内容と同様であるから、説明を省略する。
【００８４】
＜効果７＞
本実施形態に係る空気調和機Ｇによれば、室内に照射されている光の光源を判別し、当該光強度に基づいてフィルタ清掃機構５６の運転を制御することができる。
したがって、空気調和機Ｇによれば、使用者の就寝時に室内機１００Ｇのフィルタ５６の動作音による使用者へ不快感のない、より快適な空調環境を提供することができる。
【００８５】
≪変形例≫
以上、本発明に係る空気調和機Ａ〜Ｇについて、各実施形態により説明したが、本発明の趣旨はこれらの記載に限定されるものではなく、種々の変更などを行うことができる。
例えば、前記した第２実施形態〜第５実施形態では、例えば、各光センサが、可視光波長領域用の受光素子と赤外波長領域用の受光素子とが一つの基板上に設置される構成(図４（ｃ）参照)となっていたが、これに限るものではない。すなわち、別基板上に可視光センサと赤外線センサとを、図４（ｂ）に示すように別々に構成して設置することとし、これを一組の光センサとしてもよい。
また、前記では、各受光素子がフォトトランジスタである場合について説明したが、受光素子としてフォトダイオードを使用してもよい。
【００８６】
また、前記では、可視光波長領域用の受光素子と、赤外波長領域用の受光素子とを備えた光センサが１個の場合（光センサ４６Ｂ：図４（ｃ）参照）、２個の場合（光センサ４６Ｌ．４６Ｒ：図１２（ａ）、図１９参照）、４個の場合（光センサ４６Ｌ，４６Ｆ，４６Ｎ，４６Ｒ：図１４、図１８参照）について説明したが、これに限らない。すなわち、光センサを３個又は５個以上備えることとしてもよい。
また、前記では、各光センサが前面パネル１０６の左右方向中央の下部に設置されている場合と（図４，１２，１４参照）、前面パネルの右下及び左下にそれぞれ設置されている場合と（図１９参照）について説明したが、これに限らない。すなわち、室内の所定の領域からの光を光センサによって採光することができればよく、前記の配置に限らない。例えば、光センサを前面パネル１０６の左右方向中央の上部に設置することとしてもよい。表示部４７も同様である。
【００８７】
また、前記した第５実施形態では、リモコンＲｅ（図１参照）を介して受信した室内機１００Ｅの設置位置の情報に基づいて、室内機マイコン３８が光センサ４６Ｌ２,４６Ｒ２の受光方向を変える場合について説明したが、これは、第１〜第４の実施形態でも適用可能である。つまり、第１〜第４実施形態での各室内機が、部屋の左側又は右側に設置されている場合にも、リモコンＲｅを介して受信した室内機の設置位置の情報に基づいて、室内機マイコン３８がデータを読み込む各光センサを選択する。これにより、光センサの壁からの反射光による影響を抑えることができ、より正確に光源を捉えることが可能である。
したがって、室内機の設置位置に関わらず、適切に光源判別を行い、その結果に基づく運転制御を行うことができる。
【符号の説明】
【００８８】
Ａ，Ｂ，Ｃ，Ｄ，Ｅ，Ｆ，Ｇ  空気調和機
１００Ａ,１００Ｂ,１００Ｃ,１００Ｄ，１００Ｅ,１００Ｆ,１００Ｇ  室内機
１  センサカバー
２，２Ｌ，２Ｒ，２Ｆ，２Ｎ,２Ｌ´,２Ｒ´  凹部
３  可視光センサ（光強度検出手段）
４  赤外線センサ（光強度検出手段）
３ａ,４ａ,４６ａ  ホルダ
３ｂ,４６ｂ１,４６Ｌ１，４６Ｒ１，４６Ｆ１，４６Ｎ１  可視光波長領域用の受光素子(受光素子、第１の受光素子)
４ｂ,４６ｂ２, ４６Ｌ２，４６Ｒ２，４６Ｆ２，４６Ｎ２  赤外波長領域用の受光素子（受光素子、第２の受光素子）
３ｃ,４ｃ,４６ｃ  基板
３００  制御装置
３８  室内機マイコン（光源判別手段、運転制御手段、輻射熱量推定手段、窓位置検出手段）
４０  ＥＥＰＲＯＭ（記憶手段）
４３  吸込み温度サーミスタ（室内気温検出手段）
４６,４６Ａ，４６Ｂ,４６Ｌ，４６Ｒ，４６Ｆ，４６Ｎ,４６Ｌ´，４６Ｒ´，  光センサ
４７,４７ａ,４７ｂ,４７ｃ,４７ｄ,４７ｅ,４７ｆ  表示部（表示手段）
５６  フィルタ清掃機構
７０  窓
１０６  前面パネル
１０７  空気吸込み口
１１２  フィルタ
２００  室外機
Ｒｅ  リモコン
Ｐ１，Ｐ２，Ｐ３，Ｐ４,Ｐ５,Ｐ６,Ｐ７  エリア（領域）
【図１】
0005466209.tif 000002
【図２】
0005466209.tif 000003
【図３】
0005466209.tif 000004
【図４】
0005466209.tif 000005
【図５】
0005466209.tif 000006
【図６】
0005466209.tif 000007
【図７】
0005466209.tif 000008
【図８】
0005466209.tif 000009
【図９】
0005466209.tif 000010
【図１０】
0005466209.tif 000011
【図１１】
0005466209.tif 000012
【図１２】
0005466209.tif 000013
【図１３】
0005466209.tif 000014
【図１４】
0005466209.tif 000015
【図１５】
0005466209.tif 000016
【図１６】
0005466209.tif 000017
【図１７】
0005466209.tif 000018
【図１８】
0005466209.tif 000019
【図１９】
0005466209.tif 000020
【図２０】
0005466209.tif 000021
【図２１】
0005466209.tif 000022